(57)【要約】【課題】            ＩＣチップパックを用いる場合、そのＩＣチップパック自体の有する大きさから、取り付ける部位が自ら限定されてしまうこと、それによってアタッチ部材自体の形状や構造等に関する設計の自由度が限られてしまう点である。【解決手段】        アタッチ部材は両端に抜け止め部を一体的に備えたフィラメントを有する表示札等のアタッチ部材において、いずれか一部に電子デバイスを固設するとともに前記フィラメントにアンテナとしての導電性の材料を備えていることとし、前記した電子デバイスはＩＣチップであることとし、前記したフィラメントの横棒部寄りには位置決め用の拡幅膨出部を一体的に備えていることとし、前記した電子デバイスとしてのＩＣチップはパドル部または拡幅膨出部に固設されていることとしている。【選択図】          図２
2005260840.tif 000002
【特許請求の範囲】
【請求項１】
両端に抜け止め部を一体的に備えたフィラメントを有する表示札等のアタッチ部材において、いずれか一部に電子デバイスを固設するとともに前記フィラメントにアンテナとしての導電性の材料を備えていることを特徴とするアタッチ部材。
【請求項２】
前記した電子デバイスはＩＣチップであることを特徴とする請求項１に記載のアタッチ部材。
【請求項３】
前記したフィラメントの横棒部寄りには位置決め用の拡幅膨出部を一体的に備えていることを特徴とする請求項１または請求項２に記載のアタッチ部材。
【請求項４】
前記した電子デバイスとしてのＩＣチップはパドル部または拡幅膨出部に固設されていることを特徴とする請求項１、請求項２または請求項３に記載のアタッチ部材。
【請求項５】
前記したアンテナとしての導電性の材料はフィラメントの外表面にコーティング材によりラミネートされていることあるいはカバー糸を用いてあることを特徴とする請求項１、請求項２、請求項３または請求項４に記載のアタッチ部材。
【請求項６】
前記したアンテナとしての導電性の材料はフィラメントに埋設されていることを特徴とする請求項１、請求項２、請求項３または請求項４に記載のアタッチ部材。
【請求項７】
前記したフィラメントは前記した拡幅膨出部を境として延伸または未延伸の処理がなされていることを特徴とする請求項３、請求項４、請求項５または請求項６に記載のアタッチ部材。
【請求項８】
前記した横棒部のフィラメントと反対側には切断可能な接続部を備え、その接続部をランナーバーに連接して、所定ピッチのアッセンブリとしてあることを特徴とする請求項１、請求項２、請求項３、請求項４、請求項５、請求項６または請求項７に記載のアタッチ部材。
【発明の詳細な説明】
【技術分野】
【０００１】
本発明はアタッチ部材、特に、プラスチック製フィラメントの一端にパドル部を、他端に抜け止め用の横棒部を備え、専用の装着具によって、商品としての衣類等に価格や品質等を記した表示札（タグ）を取り付けるためのアタッチ部材に関する。
【背景技術】
【０００２】
一般的に、上記した表示札を商品に取り付けるためのアタッチ部材としては、フィラメントの両端をつなげてロックするループタイプと、フィラメントの両端に抜け止めを形成し、直線的に取り付けるタイプのものが知られている。
【０００３】
直線的に取り付けるフィラメントタイプのものは、多くが一端にパドル部を一体的に備え他端にフィラメントと同様な特性を有する抜け止め用の横棒部が形成されたものとなっており、多くはその横棒部側を切断可能な接続部を介してランナーバーに取り付けたアッセンブリとされている。そして、前記ランナーバーを装着具にセットして、順次一本づつ中空ニードル等により布製等の商品に突き通し装着がなされる。その際に表示札（タグ）等の透孔も合わせてニードルを通すことで表示札（タグ）が吊り下げ状態で商品に取り付けられることになる。
【０００４】
また、近時は、いわゆる商品の万引行為を防止、監視するために、フィラメント内にアモルファス金属材料等の高透磁率を有し、磁化や消磁が容易になし得る軟磁性材を備えて、感知ゲートの磁界印加コイルに交番磁界を発生させ、この交番磁界に入った磁性体の磁界を反転させる際のバルクハウゼン効果によって感知ゲートのピックアップコイルに電圧パルスを発生させ、これを検知する非接触型の検出装置も開発された。
【０００５】
しかし、かかる磁界を利用した設備は感知ゲート及びフィラメント（アタッチ部材）の単価も高いものとなり、加えて、感知ゲートの設置スペースも必要とされている。また、この磁界を利用した設備には各種の商品情報を記憶させておくこともできないため、別途にバーコードシール等をプリントしたり、貼装したりする必要もあったところである。
【０００６】
そのため、前記した磁界を利用した設備に代わり、情報等も記憶させておく、ＩＣチップの利用が行なわれるようになって来ている。また、この際に用いられるＩＣチップは、そのＩＣチップと接続されたアンテナとを共に封入したＩＣチップパックとされており、アタッチ部材の比較的大きな面積、体積を有する部分に取り付けられるものとなっていた。
【特許文献１】特願２００２−３５２９３５号
【特許文献２】特願２００３−２７３９１２号
【発明の開示】
【発明が解決しようとする課題】
【０００７】
本発明が解決しようとする問題点は、ＩＣチップパックを用いる場合、そのＩＣチップパック自体の有する大きさから、取り付ける部位が自ら限定されてしまうこと、それによってアタッチ部材自体の形状や構造等に関する設計の自由度が限られてしまう点である。
【課題を解決するための手段】
【０００８】
この問題点を解決するために、本発明に係るアタッチ部材は両端に抜け止め部を一体的に備えたフィラメントを有する表示札等のアタッチ部材において、いずれか一部に電子デバイスを固設するとともに前記フィラメントにアンテナとしての導電性の材料を備えていることを特徴とし、前記した電子デバイスはＩＣチップであることを特徴とし、前記したフィラメントの横棒部寄りには位置決め用の拡幅膨出部を一体的に備えていることを特徴とし、前記した電子デバイスとしてのＩＣチップはパドル部または拡幅膨出部に固設されていることを特徴としている。
【０００９】
また、本発明に係るアタッチ部材は前記したアンテナとしての導電性の材料はフィラメントの外表面にコーティング材によりラミネートされていることあるいはカバー糸を用いてあることを特徴とし、前記したアンテナとしての導電性の材料はフィラメントに埋設されていることを特徴とし、前記したフィラメントは前記した拡幅膨出部を境として延伸または未延伸の処理がなされていることを特徴とし、前記した横棒部のフィラメントと反対側には切断可能な接続部を備え、その接続部をランナーバーに連接して、所定ピッチのアッセンブリとしてあることを特徴としている。
【発明の効果】
【００１０】
本発明に係るアタッチ部材は上記のように構成されている。そのために、比較的スペースを要することのないＩＣチップを適宜な部位に配置し、表面積として大きな比率を占めるフィラメント部分をアンテナの設置部位とできる。従って、アタッチ部材全体のサイズ、構成に制約を与えることが少なくなり、設計の自由度も増すものとなっている。また、アンテナ部分を大きく位置取りできるため、信号波の発受信の方向性や精度も向上することとなる。
【発明を実施するための最良の形態】
【００１１】
本発明に係るアタッチ部材として最良の形態は実施例として図に示す構成として実現した。
【実施例１】
【００１２】
次に、本発明の好ましい実施例を図面を参照して説明する。図１は本発明を実施したアタッチ部材を示し、アッセンブリ状態を示す斜視図、図２は同じく単品としての正面図、図３は同じくフィラメントの部分断面図、図４は同じく他の例を示す部分正面図、図５は同じく他の例を示すフィラメントの横断面図である。
【００１３】
これらの図にあって１は全体をプラスチックで成形したアタッチ部材本体を示している。このアタッチ部材本体１はフィラメント２を有しており、このフィラメント２の一端（先端）には抜け止めと種々の表記を兼ねたパドル部３を一体に備えており、他端（基端）には抜け止め用の横棒部４を一体に備えている。
【００１４】
また、このアタッチ部材本体１のフィラメント２には横棒部４寄りの位置に装着時の位置決めをし易くさせる拡幅膨出部５が一体に設けられている。このアタッチ部材本体１は前述したように専用の装着具によって目的商品に取り付けられるが、この取り付け前は横棒部４のフィラメント２とは反対側に、前記装着具の作用で切断される接続部６が備えられ、その接続部６が装着具にセットされるランナーバー７に連接されており、所定のピッチ間隔をもったアッセンブリ状態とされている。
【００１５】
係るアタッチ部材本体１のパドル部３にはその表面に、もしくは埋設状態として無線ＩＣチップ８が固設されている。そして、フィラメント２にはこの無線ＩＣチップ８と接続されるアンテナとしての導電性の材料９が固着状態で設けられている。
【００１６】
図２にあって、このアンテナとしての導電性の材料９はパドル部３と拡幅膨出部５間のフィラメント２に設けることとしてあるが、これは拡幅膨出部５も通し、横棒部４まで設けることとしてもよい。
【００１７】
このアンテナとしての導電性の材料９は芯線として用い、その周囲をプラスチックで被覆してフィラメント２に成形する手法が基本的となるが、既に得られたフィラメント２の外表面にアンテナとしての導電性の材料９を密接させ、コーティング１０で固着させる方法や、あるいは図５として示すようにフィラメント２の軸線方向の一部に切れ目（スリット）１１を形成し、その切れ目１１に挟持固着させる方法等も考えられる。
【００１８】
また、ＩＣチップ８は拡幅膨出部５に固設させることも可能で、この場合も表面固着のほか、埋設状態での固着が考えられる。
【００１９】
さらに、フィラメント２は拡幅膨出部５を境として、延伸、未延伸の処理を選択して施すこともでき、アンテナとしての導電性の材料９の取り付け構造によってもそれらの処理を変更、選択することも可能となる。
【産業上の利用可能性】
【００２０】
本発明に係るアタッチ部材は上述のように構成されている。アンテナとしての導電性の材料９は一般的に金属が想定されるが、実施例として示したほかにも、その金属をパウダーあるいはファイバーとし、プラスチックに混入させてフィラメント２を成形すれば、ファイバー２自体を当初よりアンテナとして作用する導電性のものとすることもできる。さらに、アタッチ部材は両端に抜け止め用の横棒部を備えた構成としたり、フィラメント２の両端にロック機構を備え、使用時にループ（リング）を形成する構成のものとすることもできる。
【図面の簡単な説明】
【００２１】
【図１】本発明を実施したアタッチ部材を示し、アッセンブリ状態を示す斜視図である。
【図２】単品としての正面図である。
【図３】フィラメントの部分断面図である。
【図４】他の例を示す部分正面図である。
【図５】他の例を示すフィラメントの横断面図である。
【符号の説明】
【００２２】
１    アタッチ部材本体
２    フィラメント
３    パドル部
４    横棒部
５    拡幅膨出部
６    接続部
７    ランナーバー
８    無線ＩＣチップ
９    アンテナとしての導電性の材料
１０  コーティング
１１  切れ目（スリット）
【図１】
2005260840.tif 000003
【図２】
2005260840.tif 000004
【図３】
2005260840.tif 000005
【図４】
2005260840.tif 000006
【図５】
2005260840.tif 000007